(57)【要約】【課題】例えばコンクリートの天井や壁等に各種物品を取付ける場合などに用いる接着式アンカーボルトに係り、部品点数や作業工数が少なく容易かつ強固に定着できるようにする。【解決手段】穿孔ｈ内に挿入した接着剤カプセル２を破壊しながら該カプセル２内の接着剤ａで上記穿孔ｈ内に定着される接着式アンカーボルト３において、上記穿孔ｈ内に定着される定着部３１の一端側に、ロングナット状のボルト頭部３２を一体的に設けたことを特徴とする。上記ボルト頭部３２には、少なくとも吊りボルト等の連結ボルト接続用の雌ねじ孔３２ａを設けるとよい。また上記ボルト頭部３２の定着部３１側の端部３２ａには、必要に応じて接着剤排出用の切欠部３２ｄを設けてもよい。さらに上記ロングナット状のボルト頭部３２の軸線方向ほぼ中央部付近には必要に応じて貫通孔３２ｅを設けるようにしてもよい。【選択図】図１
2008240485.tif 000002
【特許請求の範囲】
【請求項１】
穿孔内に挿入した接着剤カプセルを破壊しながら該カプセル内の接着剤で上記穿孔内に定着される接着式アンカーボルトにおいて、
上記穿孔内に定着される定着部の一端側に、ロングナット状のボルト頭部を一体的に設けたことを特徴とする接着式アンカーボルト。
【請求項２】
上記ボルト頭部には、少なくとも吊りボルト等の連結ボルト接続用の雌ねじ孔が設けられている請求項１に記載の接着式アンカーボルト。
【請求項３】
上記ボルト頭部の定着部側の端部に接着剤排出用の切欠部を設けてなる請求項１に記載の接着式アンカーボルト。
【請求項４】
上記ボルト頭部の軸線方向ほぼ中央部付近に貫通孔を設けてなる請求項１または２に記載の接着式アンカーボルト。
【発明の詳細な説明】
【技術分野】
【０００１】
本発明は、例えばコンクリートの天井や壁等に各種物品を取付ける場合などに用いる接着式アンカーボルトに関する。
【背景技術】
【０００２】
従来、例えばコンクリートで形成された天井等に各種物品を吊り下げ保持させる場合、これまでに種々の方法が提案されているが、その中で接着式のアンカーボルトを用いるのが比較的施工が容易であることから広く利用されている。
【０００３】
図４は上記のような接着式アンカーボルトを用いた一般的な施工例を示すもので、先ず同図（ａ）に示すように、天井等の施工面１に形成した穿孔ｈ内に接着剤カプセル２を挿入し、図に省略した穿孔機械等に接続したアンカーボルト３を介して上記カプセル２に打撃を加えると同時に上記アンカーボルト３を回転させることによって、上記接着剤カプセル２を破壊すると共に、該カプセル２内から流出した接着剤ａを撹拌しながら上記アンカーボルト３を同図（ｂ）のように穿孔ｈ内に挿入して定着させる。
【０００４】
次いで、上記アンカーボルト３に、同図（ｃ）のようにワッシャ４を嵌めたのちロングナット５をねじ込んで締め付け固定する。そして、上記アンカーボルト３に、フック７等を有する吊ボルト等の連結ボルト６をねじ込んで連結固定することによって、上記フック７等に各種物品を吊り下げ保持させるものである。図中、７ａは上記フック７の固定用ナットである。
【０００５】
しかしながら、上記従来の方法では、部品点数や作業工数が多く、作業が煩雑かつ面倒であり、しかも上記アンカーボルトを天井もしくはその近傍に施工する場合には、作業者は殆ど上を向いた状態で非常に不安定な姿勢で長時間作業を行わなければならないので、多大な労力と時間が掛かり、施工コストが増大する等の不具合がある。
【０００６】
一方、上記の部品点数や作業工数を削減するために、例えば図５（ａ）のようにアンカーボルト３全体を大径に形成すると共に、そのアンカーボルト３の後端部に雌ねじ孔３０を形成して、その雌ねじ孔３０に吊ボルト等の連結ボルト６をねじ込むようにしたものも知れられているが、連結ボルト６に対して大径のアンカーボルトを用いなければならず、アンカーボルト３を大径にした分だけ上記穿孔ｈの径を大きくしなければならない。そのため、穿孔に時間がかかったり、接着剤カプセルの容量を大きくしなければならない等の不具合がある。
【０００７】
さらに下記特許文献１においては、図５（ｂ）に示すようにアンカーボルト３の前端部３ａは小径のままで、後端部３ｂのみを大径に形成して、その大径部３ｂ内に設けた雌ねじ孔３０に連結ボルト６を接続することが提案されているが、大径部３ｂに対応した径で穿孔しなければならない上に、上記大径部３ｂと穿孔ｈとの間には殆ど隙間が無いか、或いは有っても非常に狭いため、接着剤が回りにくく定着不良や定着不充分となって強度が不足する等のおそれがあった。
【０００８】
【特許文献１】実公平２−２４８１４号公報
【発明の開示】
【発明が解決しようとする課題】
【０００９】
本発明は上記従来の問題点に鑑みて提案されたもので、部品点数や作業工数が少なく、しかも容易かつ強固に定着することのできる接着式アンカーボルトを提供することを目的とする。
【課題を解決するための手段】
【００１０】
上記の目的を達成するために本発明による接着式アンカーボルトは、以下の構成としたものである。すなわち、穿孔内に挿入した接着剤カプセルを破壊しながら該カプセル内の接着剤で上記穿孔内に定着される接着式アンカーボルトにおいて、上記穿孔内に定着される定着部の一端側に、ロングナット状のボルト頭部を一体的に設けたことを特徴とする。
【発明の効果】
【００１１】
本発明による接着式アンカーボルトは、上記のように穿孔内に定着される定着部の一端側に、ロングナット状のボルト頭部を一体的に設けたことによって、穿孔径を大径にすることなく、標準の穿孔径で施工が可能であり、またロングナット状のボルト頭部を一体的に設けたことによって、前記従来のようにロングナットを別途設けてアンカーボルトにねじ込む必要がない。従って、部品点数や作業工数が低減され、部品の維持管理や作業性および施工性に優れた接着式アンカーボルトを提供できる等の効果がある。
【００１２】
なお、上記ボルト頭部には、少なくとも吊りボルト等の連結ボルト接続用の雌ねじ孔を設けるとよく、そのようにすると、各種物品等を上記連結ボルトを介して吊り下げ保持させたり、適宜の手段で取付けることができる。
【００１３】
また上記ボルト頭部の定着部側の端部には、必要に応じて接着剤排出用の切欠部を設けてもよい。そのようにすると、接着剤による定着時に余剰接着剤が上記切欠部から排出されるので、それによって接着剤の充填量が充分であったことを確認できると共に、余剰接着剤が上記穿孔とボルト頭部との間の不特定な隙間から不用意に流出して周囲環境を汚損するのを防止することが可能となる。
【００１４】
さらに上記ロングナット状のボルト頭部の軸線方向ほぼ中央部付近には必要に応じて貫通孔を設けるようにしてもよい。そのようにすると、上記ロングナット状のボルト頭部に吊ボルト等の連結ボルトをねじ込んで連結した際に、その連結ボルトのボルト頭部へのねじ込み状態を上記貫通孔を介して容易に確認することが可能となる。
【発明を実施するための最良の形態】
【００１５】
以下、本発明を図に示す実施形態に基づいて具体的に説明する。図１（ａ）は本発明による接着式アンカーボルトの一実施形態を示す正面図、同図（ｂ）（ｃ）（ｄ）はそれぞれ（ａ）におけるｂ−ｂ、ｃ−ｃ、ｄ−ｄ断面図である。
【００１６】
本実施形態の接着式アンカーボルト３は、後述する穿孔ｈ内に定着される定着部３１と、その定着部３１の一端側に一体的に設けたボルト頭部３２とよりなる。その定着部３１は本実施形態においては全ねじボルトで構成され、ボルト頭部３２は本実施形態においては内部に軸線方向ほぼ全長にわたって雌ねじ孔３２ｃを有するロングナットで構成されている。そして、上記の全ねじボルトよりなる定着部３１の一端（後端）３１ｂ側を、ロングナットよりなるボルト頭部３２の一端３２ａ側にねじ込んで互いに連結すると共に、その定着部３１とボルト頭部３２との連結部付近を溶接Ｗすることによって一体的に固着した構成である。
【００１７】
上記定着部３１のボルト頭部３２と反対側の端部は、先端が尖った形状に形成するとよく、本実施形態においては上記端部に傾斜面３１ａを形成することによって、先端が尖った形状に形成したものである。また、上記ボルト頭部３２の定着部３１側の端部３２ａには、接着剤排出用の切欠部３２ｄが設けられ、上記ボルト頭部３２の軸線方向ほぼ中央部付近には、上記ボルト頭部３２にねじ込まれる連結ボルトのねじ込み量やねじ込み状態を確認するための貫通孔３２ｅが設けられている。
【００１８】
上記のように構成された接着式アンカーボルト３を用いて天井等の施工面１に各種物品等を取付けるに当たっては、前記従来例と同様に施工面１に形成した穿孔ｈ内に接着式アンカーボルト３を施工するもので、先ず、図２（ａ）のように天井等の施工面１に図に省略したドリル等で穿孔ｈを施し、その穿孔ｈ内に残留する切削粉やほこり等を同図（ｂ）のように吸排気チューブＴやブラシＢ等で排除する。
【００１９】
次いで、上記穿孔ｈ内に図２（ｃ）のように接着剤カプセル２を挿入すると共に、その接着剤カプセル２に同図（ｄ）のように接着式アンカーボルト３の定着部３１に形成した傾斜面３１ａの先端部を突き付けた状態で、そのアンカーボルト３のボルト頭部３２に同図（ｅ）のようにチャックＣ等を介して連結した穿孔機械Ｄを作動させ、上記アンカーボルト３を介して上記接着剤カプセル２に打撃を加えると同時に、上記アンカーボルト３を回転させながら上記穿孔ｈ内に挿入していく。すると、そのアンカーボルト３の定着部３１の先端に設けた傾斜面３１ａによって接着剤カプセル２が順次破壊されると共に、該カプセル２内から流出した接着剤ａが上記傾斜面３１ａ等で撹拌されながら上記定着部３１と穿孔ｈの内面との間に充填されていく。
【００２０】
そして上記アンカーボルト３を、そのボルト頭部３２の定着部３１側の端部３２ａが、上記穿孔ｈの開口端付近に当接するまで押し込むことによって、上記アンカーボルト３の定着部３１を、図２（ｆ）のように穿孔ｈ内に定着させるもので、そのとき、上記定着部３１と穿孔ｈとの間の隙間Ｓ内に充填された接着剤ａの量が所定の限度以上、すなわち上記隙間Ｓの容積以上であるときには、余剰となった接着剤ａは上記切欠部３２ｄから排出される。それによって接着剤の充填量が充分であったことを確認できると共に、余剰接着剤が上記穿孔ｈとボルト頭部３２との間の不特定な隙間から不用意に流出して周囲環境を汚損するのを防止することができる。
【００２１】
次に、上記のようにして穿孔ｈ内に定着したアンカーボルト３のボルト頭部３２に、図２（ｇ）のようにフック７等を有する吊ボルト等の連結ボルト６をねじ込んで連結する。そのとき、上記ボルト頭部３２の軸線方向中央部付近に設けた貫通孔３２ｅによって上記連結ボルト６のボルト頭部３２へのねじ込み量やねじ込み状態を確認することができる。そして、上記フック７等に各種物品を吊り下げることによって簡単・確実に保持させることができるものである。
【００２２】
なお、上記実施形態は、アンカーボルト３のボルト頭部３２を、穿孔ｈの開口端付近に直接当接させるようにしたが、図３（ａ）のようにワッシャ４を介して当接させるようにしてもよい。そのワッシャ４は定着部３１及びボルト頭部３２と一体に構成してもよく、或いは別体のワッシャ４を施工時に定着部３１に挿通して用いてもよい。また上記実施形態は、アンカーボルト３の定着部３１を全ねじボルトで構成したが、これに限らず、例えば図３（ｂ）に示すような周面に多数の突条や突起等を有する異型棒鋼等の棒状体を用いてもよい。その場合にも定着部３１のボルト頭部３２と反対側の端部には傾斜面３１ａ等を形成して先端部が尖った形状にするのが望ましい。
【００２３】
また上記実施形態は、アンカーボルト３のボルト頭部３２を、内部に軸線方向ほぼ全長にわたって雌ねじ孔３２ｃを有するロングナットで構成したが、上記雌ねじ孔３２ｃは必ずしも上記ボルト頭部３２の軸線方向全長にわたって設ける必要はなく、図３（ｃ）のように定着部３１および連結ボルト６を螺合させる部分にのみ設けるようにしてもよい。また上記定着部３１は必ずしもボルト頭部３２に螺合させる必要はなく、例えば圧入して溶接してもよく、或いは上記定着部３１とボルト頭部３２とを鍛造や鋳造等で一体に形成するようにしてもよい。
【００２４】
さらに上記実施形態は、コンクリートよりなる天井等の施工面１に各種物品を吊り下げ保持させる場合を例にして説明したが、天井に限らず側壁面等に各種物品を取付ける場合や引き留める場合などにも適用可能であり、また上記の天井や側壁面はコンクリートに限らずモルタルや石造もしくは各種内装材等で形成された面などにも施工可能である。
【産業上の利用可能性】
【００２５】
以上のように本発明による接着式アンカーボルト３によれば、穿孔ｈ内に定着される定着部３１の一端側に、ロングナット状のボルト頭部３２を一体的に設けたことによって、穿孔径を大径にすることなく、標準の穿孔径で施工が可能であり、またロングナット状のボルト頭部を一体的に設けたことによって、前記従来のようにロングナットを別途設けてアンカーボルトにねじ込む必要がない。従って、部品点数や作業工数が低減され、部品の維持管理や作業性および施工性に優れた接着式アンカーボルトを提供できるもので、各種物品等を建築物や構築物の天井に吊り下げ保持させたり、壁等に取付ける場合などに有効に適用できるものである。
【図面の簡単な説明】
【００２６】
【図１】本発明による接着式アンカーボルトの一実施形態を示すもので、（ａ）は正面図、（ｂ）（ｃ）（ｄ）はそれぞれ（ａ）におけるｂ−ｂ、ｃ−ｃ、ｄ−ｄ断面図。
【図２】（ａ）〜（ｇ）は上記アンカーボルトの施工プロセスの一例を示す説明図。
【図３】（ａ）〜（ｃ）は上記アンカーボルトの変更例を示す説明図。
【図４】（ａ）〜（ｄ）は従来の接着式アンカーボルトの施工例を示す説明図。
【図５】（ａ）（ｂ）は従来の接着式アンカーボルトの他の例を示す縦断面図。
【符号の説明】
【００２７】
１  施工面
２  接着剤カプセル
３  接着式アンカーボルト
３１  定着部
３２  ボルト頭部
４  ワッシャ
５  ロングナット
６  連結ボルト
７  フック
７ａ  固定用ナット
ａ  接着剤
ｈ  穿孔
【図１】
2008240485.tif 000003
【図２】
2008240485.tif 000004
【図３】
2008240485.tif 000005
【図４】
2008240485.tif 000006
【図５】
2008240485.tif 000007